(57)【要約】【課題】取り付けが容易で、かつ、引っ掛かる部位の少ない幹だけの植木等へ取り付けた場合でも、所望の位置にしっかりと固定することのできる園芸用表示具を提供する。【解決手段】薄片状の表示部１に連続して形成された少なくとも１つの掛け止め部２に、この掛け止め部２を折り畳んで重ねることのできる折曲線２ａを設け、この折曲線２ａを挟んだ部位に、長手方向に長い形状の通し穴２ｂを形成するとともに、この通し穴２ｂの両縁部に、折曲線２ａ近傍から長手方向両端側に向かって斜めに突出する舌片状の爪部２ｃ，２ｄを形成し、長手方向一方側の爪部２ｃ，２ｃどうしおよび他方側の爪部２ｄ，２ｄどうしの間にすき間Ｓを設ける。以上の構成により、通し穴２ｂの中に棒状物体を押し込んだ場合、これらの爪部２ｃ，２ｄが前記棒状物体を付勢し、園芸用表示具を所定の位置に固定することが可能になる。【選択図】図１
2010039156.tif 000002
【特許請求の範囲】
【請求項１】
薄片状の表示部と、この表示部の縁部に連続して形成された少なくとも１つの掛け止め部とからなる園芸用表示具であって、
前記掛け止め部は、その長手方向中央部に、該掛け止め部を折り畳んで重ねることのできる折曲線が設けられ、この折曲線を挟んだ部位には、該長手方向に長い形状で、かつ、折曲線に対して対称な形状の通し穴が形成されているとともに、
この通し穴における長手方向中央寄りの両縁部には、前記折曲線近傍から長手方向両端側に向かって斜めに突出する舌片状の爪部がそれぞれ設けられ、長手方向一方側の爪部どうしおよび他方側の爪部どうしの間には、前記折曲線で折り畳んで重ねた状態で前記通し穴の中に棒状物体を押し込むことのできるすき間が形成されていることを特徴とする園芸用表示具。
【請求項２】
前記表示部の略中央を挟んで対象となる一方側の表示部縁部と他方側の表示部縁部に、前記掛け止め部がそれぞれ形成されていることを特徴とする請求項１に記載の園芸用表示具。
【請求項３】
薄片状の２つの表示部と、これら一方側と他方側の各表示部の間を連結するように一体に形成された橋状の折り畳み部とからなり、この折り畳み部の長手方向略中央には、折り畳んだ場合に両側の各表示部を重ねることのできる位置に折曲線が設けられ、この折曲線を挟んだ部位には、該長手方向に長い形状で、かつ、折曲線に対して対称な形状の通し穴が形成されているとともに、
この通し穴における長手方向中央寄りの両縁部には、前記折曲線近傍から両側の各表示部側に向かって斜めに突出する舌片状の爪部がそれぞれ設けられ、これら一方側の爪部どうしおよび他方側の爪部どうしの間には、前記折曲線で折り畳んで前記表示部どうしを重ねた状態で前記通し穴の中に棒状物体を押し込むことのできるすき間が形成されていることを特徴とする園芸用表示具。
【発明の詳細な説明】
【技術分野】
【０００１】
本発明は、主として植木鉢などに植栽されている植物に使用する園芸用名札等、園芸植物の枝や幹等に掛けてその植物に関する情報を掲示する園芸用表示具に関する。
【背景技術】
【０００２】
草花等の園芸用植物や果樹等の植木などを販売する際には、その植物の写真・名称・価格や育て方等を表示した園芸用表示具を、通し穴に挿通した針金等の可撓性線材を用いて植物の枝や幹などに結び付けたり（図５（ａ））、あるいは、切込線が設けられた通し穴部を枝や幹等に引っ掛けたり（図５（ｂ））して、これらを区別するとともに、これらの植物に関する情報を消費者に提供することが行われている。
【特許文献１】実用新案登録第３０６９７７５号公報
【特許文献２】特開２００５−１８１５１７号公報
【発明の開示】
【発明が解決しようとする課題】
【０００３】
ところで、ひも状部材や線材等を用いて枝や幹などに結び付ける園芸用表示具は、落下しないようにしっかりと結び付ける必要があるため、その固定作業に手間と時間がかかる上、その固定が風や振動等によって緩んだ場合は、この園芸用表示具が下にずり落ちてしまう場合もある。
【０００４】
また、切込線が設けられた通し穴部を枝や幹等に引っ掛ける園芸用表示具も、取付作業自体は簡単ではあるものの、同様に、園芸用表示具が下にずり落ちることのないよう、その固定位置を工夫する必要がある。
【０００５】
特に、表示具が下にずり落ちるという問題は、果樹の苗木等、枝葉が少なく、園芸用表示具を固定する場所が垂直に直立した幹しかない状態で販売される樹木で発生する場合が多い。
【０００６】
本発明は、上記する課題に対処するためになされたものであり、取り付けが容易で、かつ、引っ掛かる部位の少ない幹だけの植木等へ取り付けた場合でも、所望の位置にしっかりと固定することのできる園芸用表示具を提供することを目的としている。
【課題を解決するための手段】
【０００７】
前記の目的を達成するために、請求項１に記載の発明は、薄片状の表示部と、この表示部の縁部に連続して形成された少なくとも１つの掛け止め部とからなる園芸用表示具であって、前記掛け止め部は、その長手方向中央部に、該掛け止め部を折り畳んで重ねることのできる折曲線が設けられ、この折曲線を挟んだ部位には、該長手方向に長い形状で、かつ、折曲線に対して対称な形状の通し穴が形成されているとともに、この通し穴における長手方向中央寄りの両縁部には、前記折曲線近傍から長手方向両端側に向かって斜めに突出する舌片状の爪部がそれぞれ設けられ、長手方向一方側の爪部どうしおよび他方側の爪部どうしの間には、前記折曲線で折り畳んで重ねた状態で前記通し穴の中に棒状物体を押し込むことのできるすき間が形成されていることを特徴とする。
【０００８】
本発明は、果樹の苗木等の枝や幹を通し穴に引っ掛けてその植物に関する情報を掲示する園芸用表示具において、枝や幹等の棒状物体を通し穴に押し込む時に用いられる「切れ込み」の縁部を、挿入された幹等を付勢する舌片形状に形成することにより、所期の目的を達成しようとするものである。
【０００９】
すなわち、請求項１に記載の発明によれば、薄片状の表示部に連続して形成された少なくとも１つの掛け止め部に、この掛け止め部を折り畳んで重ねることのできる折曲線を設け、この折曲線を挟んだ部位に、該長手方向に長い形状で、かつ、折曲線に対して対称な形状の通し穴を形成するとともに、この通し穴における長手方向中央寄りの両縁部に、前記折曲線近傍から長手方向両端側に向かって斜めに突出する舌片状の爪部を形成し、長手方向一方側の爪部どうしおよび他方側の爪部どうしの間にすき間を設けることにより、前記折曲線で折り畳んで重ねた状態で通し穴の中に棒状物体を押し込んだ場合、これらの爪部が前記棒状物体を付勢し、園芸用表示具を所定の位置に固定することが可能になる。従って、本発明の園芸用表示具は、果樹の苗木等、枝葉が少なく、垂直に直立した幹しかない状態で販売される樹木でも取り付けが容易で、かつ、所望の位置にしっかりと固定することができる。
【００１０】
ここで、前記表示部の略中央を挟んで対象となる一方側の表示部縁部と他方側の表示部縁部に、前記掛け止め部がそれぞれ形成されている構成を好適に採用することができる（請求項２）。
【００１１】
これら爪部を有する掛け止め部は、園芸用表示具に１つだけ設けても良いが、この表示部を挟んだ両側に１つずつ設けた方が、より確実に園芸用表示具を固定することができる。従って、本発明の掛け止め部は、表示部の略中央を挟んで対象となる一方側の表示部縁部と他方側の表示部縁部に、それぞれ形成することが望ましい。
【００１２】
次に、１つの表示部に対して片側あるいは両側に掛け止め部を設けた請求項１の発明に対し、請求項３の発明は、２つの表示部の間にこの爪部を有する掛け止め部を設けたものであり、薄片状の２つの表示部と、これら一方側と他方側の各表示部の間を連結するように一体に形成された橋状の折り畳み部とからなり、この折り畳み部の長手方向略中央には、折り畳んだ場合に両側の各表示部を重ねることのできる位置に折曲線が設けられ、この折曲線を挟んだ部位には、該長手方向に長い形状で、かつ、折曲線に対して対称な形状の通し穴が形成されているとともに、この通し穴における長手方向中央寄りの両縁部には、前記折曲線近傍から両側の各表示部側に向かって斜めに突出する舌片状の爪部がそれぞれ設けられ、これら一方側の爪部どうしおよび他方側の爪部どうしの間には、前記折曲線で折り畳んで前記表示部どうしを重ねた状態で前記通し穴の中に棒状物体を押し込むことのできるすき間が形成されていることを特徴とする園芸用表示具である。
【００１３】
以上の構成によっても、前記折曲線で折り畳んで重ねた状態で通し穴の中に棒状物体を押し込んだ場合、これらの爪部が前記棒状物体を付勢し、園芸用表示具を所定の位置に固定することが可能になる。従って、請求項３に係る園芸用表示具も、果樹の苗木等、枝葉が少なく、垂直に直立した幹しかない状態で販売される樹木でも取り付けが容易で、かつ、所望の位置にしっかりと固定することができる。
【発明の効果】
【００１４】
以上のように、本発明の園芸用表示具によれば、取り付けが容易で、かつ、引っ掛かる部位の少ない幹だけの植木等へ取り付けた場合でも、所望の位置にしっかりと固定することが可能になる。また、風や振動等によって、園芸用表示具が下にずり落ちるのを防止することができる。
【発明を実施するための最良の形態】
【００１５】
以下、図面を参照しつつこの発明を実施するための形態について説明する。
図１は、本発明の第１実施形態における園芸用表示具の展開図であり、図２は、その園芸用表示具の使用状態を示す斜視図である。
【００１６】
この第１実施形態における園芸用表示具は、草花等の園芸用植物や果樹等の植木などを販売する際に、これら植木等に引っ掛けて取り付けられるものであり、その植物の写真・名称・価格や育て方等を表示する表示部１と、この表示部１の両側縁部に設けられた掛け止め部２，２とから構成されている。
【００１７】
また、この園芸用表示具は、ポリプロピレン等の樹脂板や防水紙など、耐水性を有する薄片状の基材を打ち抜いて形成されており、これら表示部１および掛け止め部２は一体に成形されている。
【００１８】
この実施形態における園芸用表示具の特徴は、植木等に引っ掛けて固定するための掛け止め部２に、掛け止め部２を折り畳んで重ねることのできる折曲線２ａが設けられ、この折曲線２ａを挟んだ部位に、通し穴２ｂが形成されているとともに、この通し穴２ｂにおける長手方向中央寄りの両縁部に、斜めに突出する舌片状の爪部２ｃ，２ｃおよび爪部２ｄ，２ｄが設けられている点である。
【００１９】
この通し穴２ｂは、掛け止め部２の長手方向に長い形状で、かつ、前記折曲線２ａに対して対称な形状に形成されている。また、舌片状の爪部２ｃ，２ｃおよび爪部２ｄ，２ｄは、通し穴２ｂにおける折曲線２ａ近傍から長手方向両端側に向かって斜めに突出する形状に形成されており、長手方向一方側の爪部２ｃ，２ｃどうしおよび他方側の爪部２ｄ，２ｄどうしの間には、通し穴２ｂの中に棒状物体を押し込むことのできるすき間Ｓが設けられている。
【００２０】
以上の構成のような園芸用表示具を使用する場合は、これら掛け止め部２，２を折曲線２ａで折り畳んで重ね、図２のように、爪部どうしの間に形成されたすき間Ｓから、植木の幹等の棒状物体を通し穴２ｂ内に押し込む。この時、これらの爪部２ｃ，２ｃおよび爪部２ｄ，２ｄが棒状物体の一部を付勢し、この園芸用表示具を所望の位置に固定することが可能になる。また、風や振動等によって、園芸用表示具が下にずり落ちるのを防止することができる。
【００２１】
従って、本実施形態における園芸用表示具は、果樹の苗木等、枝葉が少なく、垂直に直立した幹しかない状態で販売される樹木でも取り付けが容易で、しかも、所望の位置にしっかりと固定することが可能になる。
【００２２】
なお、この実施形態においては、表示部１の両側縁部に、爪部を有する掛け止め部２をそれぞれ設けた例を示したが、本発明における園芸用表示具の構成は、これに限定されるものではない。例えば、この爪部を有する掛け止め部２は、表示部１の縁部１箇所にのみ設けても良く、あるいは、図３（第２実施形態）のように、表示部１の縁部一方側に掛け止め部２を設け、他方側に従来の針金等の可撓性線材などを配設しても良い。
【００２３】
また、掛け止め部２に設けた爪部２ｃ，２ｄの形状も、これらの例に限定されるものではなく、通し穴２に挿通される棒状物体を付勢できる形状であれば、適宜変更することができる。
【００２４】
次に、本発明の第３実施形態を説明する。
図４は、本発明の第３実施形態における園芸用表示具の展開図である。なお、図中の符号３は折り畳み部、３ａは折曲線、３ｂは通し穴、３ｃ，３ｄは爪部である。また、第１，第２実施形態と同様の機能を有する構成部材には、同じ符号を付記して詳細な説明を省略する。
【００２５】
この第３実施形態における園芸用表示具の特徴は、この表示具を固定するための爪部３ｃ，３ｃおよび爪部３ｄ，３ｄを有する掛け止め部が、２つの表示部１，１の間を繋ぐ橋状の折り畳み部３の略中央に形成されている点である。
【００２６】
以上の構成によっても、折曲線３ａで折り畳んで重ねた状態で通し穴３ｂの中に棒状物体を押し込んだ場合、これらの爪部３ｃ，３ｃおよび爪部３ｄ，３ｄが前記棒状物体を付勢し、園芸用表示具を所定の位置に固定することが可能になる。従って、本実施形態における園芸用表示具も、果樹の苗木等、枝葉が少なく、垂直に直立した幹しかない状態で販売される樹木でも取り付けが容易で、かつ、所望の位置にしっかりと固定することができる。
【００２７】
なお、以上３つの実施形態では、本発明における好適な実施例を示したが、本発明の園芸用表示具の構成は、これらの例示に限定されるものではなく、対象とする草花等の園芸用植物や果樹等の植木などの種類により適宜変更することができる。また、この園芸用表示具を形成する材料も、特に限定されるものではないことは勿論である。
【図面の簡単な説明】
【００２８】
【図１】本発明の第１実施形態における園芸用表示具の展開図である。
【図２】本発明の第１実施形態における園芸用表示具の使用状態を示す図である。
【図３】本発明の第２実施形態における園芸用表示具の展開図である。
【図４】本発明の第３実施形態における園芸用表示具の展開図である。
【図５】従来の園芸用表示具の例を示す図である。
【符号の説明】
【００２９】
１  表示部
２  掛け止め部
２ａ  折曲線    ２ｂ  通し穴    ２ｃ，２ｄ  爪部
３  折り畳み部
３ａ  折曲線    ３ｂ  通し穴    ３ｃ，３ｄ  爪部
【図１】
2010039156.tif 000003
【図２】
2010039156.tif 000004
【図３】
2010039156.tif 000005
【図４】
2010039156.tif 000006
【図５】
2010039156.tif 000007